(57)【要約】【課題】車両の上部での作業を行う際に用いる安全帯支持装置であって、車両の上部の全体についての作業性に優れ、かつ使用時以外での収納性に優れるという優れた特徴を有する安全帯支持装置を提供する。【解決手段】車両の上部での作業を行う際に用いる安全帯支持装置であって、下記（１）〜（３）の特徴を有する安全帯支持装置。  （１）丸棒を半楕円形に組んだリング支持棒体を有し、車両の上部空間に配置されるリング支持棒体の長手方向が車両の前後方向と一致していること  （２）リング支持棒体が内部に挿入され、リング支持棒体に対してその長手方向に移動自由に設けられた安全帯連結リングを有すること  （３）リング支持棒体を支柱の上端部で支持し、支柱の下端が地上に固着された支柱であって、上端部を支柱の軸芯の回りに回転自由に設けられた支柱を有すること【選択図】図１
2007097981.tif 000002
【特許請求の範囲】
【請求項１】
車両の上部での作業を行う際に用いる安全帯支持装置であって、下記（１）〜（３）の特徴を有する安全帯支持装置。
（１）丸棒を半楕円形に組んだリング支持棒体を有し、車両の上部空間に配置されるリング支持棒体の長手方向が車両の前後方向と一致していること
（２）リング支持棒体が内部に挿入され、リング支持棒体に対してその長手方向に移動自由に設けられた安全帯連結リングを有すること
（３）リング支持棒体を支柱の上端部で支持し、支柱の下端が地上に固着された支柱であって、上端部を支柱の軸芯の回りに回転自由に設けられた支柱を有すること
【請求項２】
支柱の一部が二本の支柱の嵌め込み方式であり、該嵌め込み部分で上部の支柱が軸芯の周りに回転自由である安全帯支持装置。
【発明の詳細な説明】
【技術分野】
【０００１】
本発明は、安全帯支持装置に関するものである。更に詳しくは、本発明は、車両の上部での作業を行う際に用いる安全帯支持装置であって、車両の上部の全体についての作業性に優れ、かつ使用時以外での収納性に優れるという優れた特徴を有する安全帯支持装置に関するものである。
【背景技術】
【０００２】
たとえばタンクローリーにおいて、積荷の出し入れの際にタンクの上部での作業が発生する。タンクの上部は３ｍ程度の高さを有し、そこでの作業の際には、作業面からの転落に備えて安全帯の使用が必要である。安全帯は一方の端を作業者に連結し、他方の端を固定装置に連結して用いられる。ところが、固定装置は作業平面より上部でなければならない。また、作業性を制限するものであってはならず、更に使用時以外の収納性に優れることも求められる。
【０００３】
ところで、特許文献１には「安全帯取付け装置」が開示されている。
【０００４】
【特許文献１】特開２０００−２８８１１１号公報
【発明の開示】
【発明が解決しようとする課題】
【０００５】
かかる状況において、本発明が解決しようとする課題は、車両の上部での作業を行う際に用いる安全帯支持装置であって、車両の上部の全体についての作業性に優れ、かつ使用時以外での収納性に優れるという優れた特徴を有する安全帯支持装置を提供する点にある。
【課題を解決するための手段】
【０００６】
すなわち、本発明は、車両の上部での作業を行う際に用いる安全帯支持装置であって、下記（１）〜（３）の特徴を有する安全帯支持装置に係るものである。
（１）丸棒を半楕円形に組んだリング支持棒体を有し、車両の上部空間に配置されるリング支持棒体の長手方向が車両の前後方向と一致していること
（２）リング支持棒体が内部に挿入され、リング支持棒体に対してその長手方向に移動自由に設けられた安全帯連結リングを有すること
（３）リング支持棒体を支柱の上端部で支持し、支柱の下端が地上に固着された支柱であって、上端部を支柱の軸芯の回りに回転自由に設けられた支柱を有すること
【発明の効果】
【０００７】
本発明により、車両の上部での作業を行う際に用いる安全帯支持装置であって、車両の上部の全体についての作業性に優れ、かつ使用時以外での収納性に優れるという優れた特徴を有する安全帯支持装置を提供することができる。
【発明を実施するための最良の形態】
【０００８】
車両としては、タンクローリー車、バキュームダンパー車等をあげることができる。
【０００９】
安全帯としては、高所作業用の通常のものを対象にすることができる。
【００１０】
本発明の安全帯支持装置は、丸棒を半楕円形に組んだリング支持棒体（図１、２参照）を有し、車両の上部空間に配置されるリング支持棒体の長手方向が車両の前後方向と一致しているものである。リング支持棒体の長手方向が車両の前後方向と一致していることにより、車両の上部の前後方向の全面において作業を円滑に行うことができる。また、リング支持棒体が丸棒であるため、下記の安全帯連結リングとの連結部の摩擦を最小に抑えることができ、やはり円滑の作業が実現できる。
【００１１】
本発明の安全帯支持装置は、リング支持棒体が内部に挿入され、リング支持棒体に対してその長手方向に移動自由に設けられた安全帯連結リングを有するものである。
【００１２】
更に、本発明の安全帯支持装置は、リング支持棒体を支柱の上端部で支持し、支柱の下端が地上に固着された支柱であって、上端部を支柱の軸芯の回りに回転自由に設けられた支柱を有するものである。かかる構造とすることにより、使用時以外には支柱を回転させて車両の往来の邪魔にならない位置に収めることが可能となる。該構造の具体的で好ましい例としては、支柱の一部が二本の支柱の嵌め込み方式であり、該嵌め込み部分で上部の支柱が軸芯の周りに回転自由であるものをあげることができる。
【００１３】
本発明の安全帯支持装置の材質としては、炭素鋼、ステンレス鋼等をあげることができる。
【実施例】
【００１４】
次に本発明を実施例により説明する。
実施例１
安全帯支持装置は、丸棒を半楕円形に組んだリング支持棒体１、リング支持棒体が内部に挿入され、リング支持棒体に対してその長手方向に移動自由に設けられた安全帯連結リング２、リング支持棒体を上端部で支持し、支柱の軸芯の回りに回転自由に設けられた上部支柱３、支柱の下端が地上に固着された下部支柱４から主に構成されており、作業者は安全帯６のフックを安全帯連結リングへ引っ掛けてタンクローリーの車両上での作業を行う。
そして、車両の上部空間に配置されるリング支持棒体の長手方向が車両の前後方向と一致していることにより、車両の上部の前後方向の全面において移動自由となるため、作業を円滑に行うことができるとともに作業面からの万一の場合の転落事故が防止される。また、リング支持棒体が丸棒であり、リング支持棒体が内部に挿入され、リング支持棒体に対してその長手方向に移動自由に設けられた安全帯連結リングとの連結部の摩擦を最小に抑えることができるため、やはり円滑の作業が実現できる。
更に、リング支持棒体を支柱の上端部で支持し、支柱の下端が地上に固着された支柱であって、上端部を支柱の軸芯の回りに回転自由に設けられた上部支柱を有する構造とすることにより、使用時以外には、支柱回転用バー５により支柱を回転させて車両の往来の邪魔にならない位置に収めることが可能となる。
なお、本実施例の安全帯支持装置の材質はステンレス鋼とした。
【図面の簡単な説明】
【００１５】
【図１】実施例１の安全帯支持装置の概要を示す側面図である。
【図２】実施例１の安全帯支持装置の概要を示す正面図である。
【符号の説明】
【００１６】
１  リング支持棒体
２  安全帯連結リング
３  上部支柱
４  下部支柱
５  支柱回転用バー
６  安全帯
【図１】
2007097981.tif 000003
【図２】
2007097981.tif 000004